(57)【特許請求の範囲】
【請求項１】
機体後部のヒッチに抵抗棒を装備させた管理機において、ヒッチにヒッチピンを設け、ヒッチピンに軸支された水平回動自在の回動板に抵抗棒を挿入することで抵抗棒をヒッチに連結させると共に、回動板の左右両側に２つの横長のロック部材を回動可能に軸支し、回動板の回動の際、当該ロック部材の回動先端をヒッチに当接することで、抵抗棒の回動を規制し、かつ当該ロック部材の前記回動先端を上方に回動することにより、抵抗棒の回動の規制を解除することが出来ることを特徴とする管理機。
【発明の詳細な説明】
【０００１】
【発明の属する技術分野】
本発明は車軸に耕耘ロータリなど各種作業装置を取付けて、走行と同時に各種作業を同時に行うようにした車軸作業型の管理機に関する。
【０００２】
【発明が解決しようとする課題】
従来、車軸作業型の管理機においては機体のダッシュを防止し直進走行性能を確保するため一般に抵抗棒を機体後部に装備させているが、機体の旋回動作にはこの抵抗棒が抵抗となって抵抗棒を作業位置に保った状態のままで旋回するには極めて大きな旋回操作力を必要とするなどして旋回を困難なものとさせていた。このため旋回の都度機体とともに抵抗棒を持上げたり、エンジンをアイドリング回転させるなどして旋回の容易化を図っているが極めて作業能率が悪かった。
【０００３】
【課題を解決するための手段】
本発明は、機体後部のヒッチに抵抗棒を装備させた管理機において、ヒッチにヒッチピンを設け、ヒッチピンに軸支された水平回動自在の回動板に抵抗棒を挿入することで抵抗棒をヒッチに連結させると共に、回動板の左右両側に２つの横長のロック部材を回動可能に軸支し、回動板の回動の際、当該ロック部材の回動先端をヒッチに当接することで、抵抗棒の回動を規制し、かつ当該ロック部材の前記回動先端を上方に回動することにより、抵抗棒の回動の規制を解除することが出来ることを特徴とする管理機を提供するものである。
【０００４】
これにより、抵抗棒を保持する回動板の左右両側に左右２つのロック部材を軸支して、回動板の回動の際、ロック部材の回動先端をヒッチに当接することで、抵抗棒の回動を規制出来るので、機体の直進作業中は抵抗棒は回動を規制した良好な直進走行を行うと共に、機体の旋回時には抵抗棒を回動自在とさせて抵抗棒の抵抗の影響を最小とさせたスムーズな機体旋回を容易に行って、各種作業での作業性を向上させるものである。
また、管理機に装備させる各種作業装置などに応じて、ロック部材の回動先端を回動することにより、抵抗棒の回動の規制を解除出来るので、この回動量の調節によって抵抗棒の左右回動規制量の調節も容易であり、各種作業装置に応じた適正な抵抗棒の回動規制量の設定を行って作業性を向上させたものである。
【０００５】
【発明の実施の形態】
以下、本発明の実施例を図面に基づいて詳述する。図１に示す如く、エンジン１を搭載するエンジン台２後端にミッションケース３を固定させ、ミッションケース３上端にハンドルベース４を介して前後振替自在に操向ハンドル５を連結させると共に、ミッションケース３下端側の車軸である出力軸６にロータリ刃７を取付けて耕耘ロータリ８を構成している。
【０００６】
また図２乃至図６に示す如く、前記ミッションケース３後側でロータリカバー９上方位置にヒッチブラケット１０を介しヒッチ１１を取外し自在に固定させ、下端側を後方に屈曲させた断面長方形状の抵抗棒１２をヒッチピン１３及びホルダー１４を介しヒッチブラケット１０に回動自在に支持させるもので、側面視コ形状の回動板１５と、回動板１５の上下板１５ａ・１５ｂ間を貫通させる平面視門形で縦長状の保持板１６と、保持板１６の前面で且つ上下板１５ａ・１５ｂの上下面にそれぞれ固設する上下枢着板１７・１８とをホルダー１４は備え、保持板１６と枢着板１７・１８の内側に形成させる長方形状の係合孔１９に抵抗棒１２の上端を挿入させて、保持板１６の外側２面に略９０度角度を異ならせて取付ける２本のセットボルト２０によって抵抗棒１２を上下位置調節自在に取付固定するように構成している。
【０００７】
また、前記回動板１５の左右巾と同一長さの軸筒２１を下板１５ｂ上の左右方向に固設させ、軸筒２１に回転自在に内挿するロック軸２２の両端に左右２つのロック部材であるロック板２３の基端を一体連結して、軸支し、ロック板２３の水平保持時にはヒッチ１１の後内面１１ａに一定隙間を介してロック板２３の先端ロック面２３ａを臨ませて、前記ヒッチピン１３を中心とした回動板１５の水平回動時には、ヒッチ後内面１１ａとロック面２３ａとの当接によって回動板１５の水平回動を規制するように構成している。
【０００８】
さらに、前記ロック軸２２の左右一側端に操作アーム２４の基端を一体連結させ、操作アーム２４の先端に連結させるワイヤ２５の他端を操向ハンドル５の操作部に設けるロックレバー２６に連結させて、図４に示す如く、ロックレバー２６でワイヤ２５を引張り操作するとき、ロック軸２２を中心としてロック板２３の回動先端側を上動させ、ロック板２３による回動板１５の回動規制を解除させて、抵抗棒１２を左右方向に回動可能とさせるように構成している。
【０００９】
本実施例は上記の如く構成するものにして、図４、図６に示す如く耕耘作業中は、水平姿勢を保持させる左右のロック板２３によって抵抗棒１２の回動を規制し、圃場内に下端を突入させる抵抗棒１２の作用で機体がダッシュしたり横方向に振られる不都合を防止して機体の良好な直進走行を行う一方、機体の旋回作業時にあっては左右のロック板２３を上動させて、回動板１５の回動規制の解除を行って抵抗棒１２を自由回動状態とさせて、抵抗棒１２が回動時の抵抗となるのを最小に抑制して、機体のスムーズな旋回を容易に可能とさせるものである。
【００１０】
また本実施例の場合、左右２つのロック板２３によって抵抗棒１２の安定良好な回動規制が行えると共に、ロック板２３の上げ量（傾斜）の調節でヒッチ後内面１１ａとロック板２３先端との隙間を大小に調整して抵抗棒１２の回動規制量の調節も可能とさせて、各種作業装置に応じた抵抗棒１２の回動規制量の設定も容易とさせることができる。
【００１１】
【発明の効果】
以上実施例から明らかなように本発明は、機体後部のヒッチ１１に抵抗棒１２を装備させた管理機において、ヒッチ１１にヒッチピン１３を設け、ヒッチピン１３に軸支された回動板１５に抵抗棒１２を挿入して、回動自在に抵抗棒１２をヒッチ１１に連結させると共に、抵抗棒１２を保持する回動板１５の左右両側に左右２つのロック部材２３を軸支して、回動板１５の回動の際、ロック部材２３の回動先端をヒッチに当接することで、抵抗棒１２の回動を規制したので、機体の直進作業中は抵抗棒１２は回動を規制した良好な直進走行を行うと共に、機体の旋回時には抵抗棒１２を回動自在とさせて抵抗棒１２の抵抗の影響を最小とさせたスムーズな機体旋回を容易に行って、各種作業での作業性を向上させることができるものである。
【００１２】
また、管理機に装備させる各種作業装置などに応じて、ロック部材２３の回動先端を上方に回動することにより、抵抗棒１２の回動の規制を解除出来るので、この回動量の調節によって抵抗棒１２の左右回動規制量の調節も容易であり、各種作業装置に応じた適正な抵抗棒１２の回動規制量の設定を行って作業性を向上させたものである。
【図面の簡単な説明】
【図１】管理機の全体側面図。
【図２】抵抗棒取付部の側面説明図。
【図３】抵抗棒取付部の平面説明図。
【図４】ヒッチ部の側面説明図。
【図５】ヒッチ部の背面説明図。
【図６】抵抗棒の回動説明図。
【符号の説明】
１１  ヒッチ
１２  抵抗棒
１３  ヒッチピン
１４  ホルダー
２３  ロック板（ロック部材）
【図１】
0003655580.tif 000002
【図２】
0003655580.tif 000003
【図３】
0003655580.tif 000004
【図４】
0003655580.tif 000005
【図５】
0003655580.tif 000006
【図６】
0003655580.tif 000007